(57)【要約】【課題】  予め定められた分類条件に従った電子化ファイルの分類状態を再現することのできるファイル分類表示装置、ファイル分類表示方法及びファイル分類表示プログラムを得る。【解決手段】  ＣＰＵ１２により、ハードディスク１８の予め定められた分類対象領域に記憶されている複数の電子化ファイルを予め定められた分類条件に従って分類してディスプレイ装置２４により表示するにあたり、ディスプレイ装置２４によって表示された分類状態を示す情報を表示履歴情報としてハードディスク１８に記録する。【選択図】        図１
2006252045.tif 000002
【特許請求の範囲】
【請求項１】
記憶手段の予め定められた分類対象領域に記憶されている複数の電子化ファイルを予め定められた分類条件に従って分類して表示手段により表示するファイル分類表示装置であって、
前記表示手段によって表示された分類状態を示す情報を記録する記録手段
を備えたファイル分類表示装置。
【請求項２】
前記記録手段によって記録された情報により示される前記分類状態の再現を指示する指示情報を入力する指示入力手段と、
前記指示入力手段によって前記指示情報が入力された際に、当該指示情報により再現が指示された分類状態を前記表示手段によって再現する再現手段と、
を更に備えた請求項１記載のファイル分類表示装置。
【請求項３】
前記記録手段は、前記表示手段によって表示された分類状態を示す情報を、当該表示された時点を示す時点情報と対応付けて記録し、
前記指示入力手段は、前記指示情報による指示により再現対象とされる分類状態を示す情報に対応付けられて記録された前記時点情報を指定する時点指定情報を更に入力し、
前記再現手段は、前記指示入力手段によって入力された前記時点指定情報により指定された前記時点情報に対応付けられて記録された前記分類状態を示す情報によって示される分類状態を前記表示手段によって再現する
請求項２記載のファイル分類表示装置。
【請求項４】
記憶手段の予め定められた分類対象領域に記憶されている複数の電子化ファイルを予め定められた分類条件に従って分類して表示手段により表示するファイル分類表示方法であって、
前記表示手段によって表示された分類状態を示す情報を記録する
ファイル分類表示方法。
【請求項５】
記憶手段の予め定められた分類対象領域に記憶されている複数の電子化ファイルを予め定められた分類条件に従って分類して表示手段により表示するファイル分類表示プログラムであって、
前記表示手段によって表示された分類状態を示す情報を記録する記録ステップ
をコンピュータに実行させるファイル分類表示プログラム。
【発明の詳細な説明】
【技術分野】
【０００１】
本発明は、ファイル分類表示装置、ファイル分類表示方法及びファイル分類表示プログラムに係り、より詳しくは、記憶手段の予め定められた分類対象領域に記憶されている複数の電子化ファイルを予め定められた分類条件に従って分類して表示手段により表示するファイル分類表示装置、ファイル分類表示方法及びファイル分類表示プログラムに関する。
【背景技術】
【０００２】
パーソナル・コンピュータ（以下、「ＰＣ」という。）、ワークステーション、ＰＤＡ（Personal Digital Assistant、携帯情報端末）等のコンピュータでは、当該コンピュータによってアクセス可能に構成されたハードディスク装置等の記憶装置に記憶されている文書ファイル、画像ファイル、プログラム・ファイル等の電子化ファイルを一元的に管理するシステムとして、当該電子化ファイルをＦＡＴ（File Allocation Table）とディレクトリ（Directory）により階層構造（ツリー構造）として管理するファイル管理システムが従来から広く用いられている。
【０００３】
ところで、近年、以上のようなファイル管理システム等を用いて、予め指定されたフォルダ等の複数の記憶領域に記憶されている複数の電子化ファイルを、予め指定された分類条件に従って分類して一覧表示するフォルダである所謂分類フォルダが利用可能とされているコンピュータがある。なお、分類フォルダでは、通常、分類対象となる電子化ファイルに対して、当該分類の際のキーとなる属性情報が付与される。
【０００４】
以下、上記分類フォルダについて簡単に説明する。なお、ここでは、上記属性情報が自動的に付与される場合について説明するが、これに限らず、ユーザが能動的に付与する場合もある。また、ここでは、上記属性情報に、対応する電子化ファイルの所有者及び変更月度を示す情報が含まれる場合について説明する。
【０００５】
ユーザは、分類フォルダを作成するにあたり、電子化ファイルの分類対象とするフォルダ及び分類条件（ここでは、上記属性情報の少なくとも１つの種類）を設定する。
【０００６】
次に、ユーザは、作成した分類フォルダを機能させる場合、当該分類フォルダを開く操作を行う。これにより、当該分類フォルダに属する電子化ファイルとして、予め設定した分類対象とするフォルダに属する電子化ファイルで、かつ予め設定した分類条件に合致する電子化ファイルが一覧表示される。なお、上記分類条件が階層的に設定された場合は、これに応じた階層構造を有する状態で電子化ファイルが表示される。
【０００７】
例えば、フォルダＡに属する下位階層のフォルダ及び電子化ファイルが図８（Ａ）に示される状態、すなわち、フォルダＡの直下の階層にフォルダＢ及びフォルダＣの２つのフォルダが設けられると共に、フォルダＢの直下の階層にフォルダＤ及びフォルダＥの２つのフォルダが設けられ、かつフォルダＤに電子化ファイルＫ，Ｌが、フォルダＥに電子化ファイルＭ，Ｎが、フォルダＣに電子化ファイルＯ，Ｐが、各々格納されている状態となっている場合で、各電子化ファイル（ここでは、ドキュメントファイル（文書ファイル））の属性情報が次の表１に示されるものとなっている場合を考える。
【０００８】
【表１】
2006252045.tif 000003
【０００９】
ここで、ユーザにより分類対象とするフォルダとして「フォルダＡ」が設定され、第一階層の分類条件として「所有者」が、第二階層の分類条件として「変更月度」が各々設定された場合において当該分類フォルダが開かれた場合、一例として図８（Ｂ）に示される状態の階層構造を示す表示がなされることになる。
【００１０】
すなわち、まず、第一階層が「所有者」によって分類される。このため、フォルダＡに含まれる全てのドキュメント（ドキュメントＫ〜Ｐ）の「所有者」に対応する属性情報の種類を調べ、その種類分だけフォルダを作成する。なお、この際、作成するフォルダには、フォルダの意味が簡単に分かるように所有者の属性情報と同一の名前が設定される。この場合、「Ｘ」フォルダと、「Ｙ」フォルダの２つのフォルダが作成され、「Ｘ」フォルダではドキュメントＫ，Ｌ，Ｍが、「Ｙ」フォルダではドキュメントＮ，Ｏ，Ｐが各々対象となる。なお、ここでいう「対象となる」とは、実際にフォルダに配置されるのではなく、第二階層における分類の対象となる、という意味である。
【００１１】
次に、第二階層が「変更月度」によって分類される。このため、「Ｘ」フォルダのドキュメントＫ〜Ｍの「変更月度」に対応する属性情報の種類を調べると共に、「Ｙ」フォルダのドキュメントＮ〜Ｐの「変更月度」に対応する属性情報の種類を調べ、各々その種類分だけ対応するフォルダの直下の階層（第二階層）にフォルダを作成する。なお、この際、作成するフォルダに変更月度の属性情報と同一の名前が設定されることは第一階層と同様である。
【００１２】
以上の結果、最終的に、一例として図８（Ｂ）に示される状態の階層構造を示す表示がなされることになる。なお、分類フォルダでは、通常、当該分類フォルダが閉じられると、以上のように作成された階層構造が解除（消去）されるものとされている場合が多く、この場合、分類フォルダは、階層構造を動的に作成していることになる。
【００１３】
一方、以上のような分類フォルダに関連する従来の技術として、特許文献１及び特許文献２には、フォルダを開く操作をトリガーとして、当該フォルダに設定されている分類条件での分類を実行し、動的に階層構造を作成する、という分類フォルダの基本的な枠組みについて開示されている。
【特許文献１】特開平６−３１４２２４号公報
【特許文献２】特開平９−４４３９３号公報
【発明の開示】
【発明が解決しようとする課題】
【００１４】
ところで、ある時点における分類フォルダによる分類状態を後に再現したい場合がある。例えば、分類フォルダによって得られた情報を参考として何らかの考察を行った場合で、後日、当該考察を引き続き行う場合や当該考察に関する考察を行いたい場合等である。
【００１５】
しかしながら、上記特許文献１及び特許文献２に開示されている技術では、この点については考慮されていないため、分類フォルダによる分類状態を再現することができない、という問題点があった。
【００１６】
本発明は上記問題点を解決するためになされたものであり、予め定められた分類条件に従った電子化ファイルの分類状態を再現することのできるファイル分類表示装置、ファイル分類表示方法及びファイル分類表示プログラムを提供することを目的とする。
【課題を解決するための手段】
【００１７】
上記目的を達成するために、請求項１記載のファイル分類表示装置は、記憶手段の予め定められた分類対象領域に記憶されている複数の電子化ファイルを予め定められた分類条件に従って分類して表示手段により表示するファイル分類表示装置であって、前記表示手段によって表示された分類状態を示す情報を記録する記録手段を備えている。
【００１８】
請求項１に記載のファイル分類表示装置は、記憶手段の予め定められた分類対象領域に記憶されている複数の電子化ファイルを予め定められた分類条件に従って分類して表示手段により表示するものとして構成されている。
【００１９】
なお、上記記憶手段には、スマート・メディア（SmartMedia（登録商標））、フレキシブル・ディスク等の可搬記録媒体やハードディスク等の固定記録媒体、或いはネットワークに接続されたサーバ・コンピュータ等に設けられた外部記憶装置が含まれる。また、上記電子化ファイルには、文書ファイル、画像ファイル、プログラム・ファイル、データ・ファイルが含まれる。更に、上記表示手段には、液晶ディスプレイ装置、ＣＲＴディスプレイ装置、プラズマディスプレイ装置、有機ＥＬディスプレイ装置等の各種ディスプレイ装置が含まれる。
【００２０】
ここで、本発明では、記録手段により、前記表示手段によって表示された分類状態を示す情報が記録される。なお、上記記録手段による分類状態を示す情報の記録先としては、上記電子化ファイルが記憶されている上記記憶手段の他、当該記憶手段とは別体として構成された記憶手段も含まれる。
【００２１】
このように、請求項１に記載のファイル分類表示装置によれば、記憶手段の予め定められた分類対象領域に記憶されている複数の電子化ファイルを予め定められた分類条件に従って分類して表示手段により表示するにあたり、前記表示手段によって表示された分類状態を示す情報を記録しているので、当該分類状態を示す情報を読み出すことにより、電子化ファイルの分類状態を再現することができる。
【００２２】
なお、本発明は、請求項２に記載の発明のように、前記記録手段によって記録された情報により示される前記分類状態の再現を指示する指示情報を入力する指示入力手段と、前記指示入力手段によって前記指示情報が入力された際に、当該指示情報により再現が指示された分類状態を前記表示手段によって再現する再現手段と、を更に備えてもよい。なお、上記指示入力手段には、キーボード、マウス（ポインティング・デバイス）、タッチパネル、デジタイザ等の入力装置の他、上記指示情報を外部装置から通信により入力する場合の通信手段が含まれる。
【００２３】
特に、請求項２に記載の発明は、請求項３に記載の発明のように、前記記録手段は、前記表示手段によって表示された分類状態を示す情報を、当該表示された時点を示す時点情報と対応付けて記録し、前記指示入力手段は、前記指示情報による指示により再現対象とされる分類状態を示す情報に対応付けられて記録された前記時点情報を指定する時点指定情報を更に入力し、前記再現手段は、前記指示入力手段によって入力された前記時点指定情報により指定された前記時点情報に対応付けられて記録された前記分類状態を示す情報によって示される分類状態を前記表示手段によって再現するものとしてもよい。
【００２４】
一方、上記目的を達成するために、請求項４記載のファイル分類表示方法は、記憶手段の予め定められた分類対象領域に記憶されている複数の電子化ファイルを予め定められた分類条件に従って分類して表示手段により表示するファイル分類表示方法であって、前記表示手段によって表示された分類状態を示す情報を記録するものである。
【００２５】
従って、請求項４記載のファイル分類表示方法によれば、請求項１記載の発明と同様に作用するので、請求項１記載の発明と同様に、分類状態を示す情報を読み出すことにより、電子化ファイルの分類状態を再現することができる。
【００２６】
一方、上記目的を達成するために、請求項５記載のファイル分類表示プログラムは、記憶手段の予め定められた分類対象領域に記憶されている複数の電子化ファイルを予め定められた分類条件に従って分類して表示手段により表示するファイル分類表示プログラムであって、前記表示手段によって表示された分類状態を示す情報を記録する記録ステップをコンピュータに実行させるものである。
【００２７】
従って、請求項５記載のファイル分類表示プログラムによれば、コンピュータに対して請求項１記載の発明と同様に作用させることができるので、請求項１記載の発明と同様に、分類状態を示す情報を読み出すことにより、電子化ファイルの分類状態を再現することができる。
【発明の効果】
【００２８】
本発明によれば、記憶手段の予め定められた分類対象領域に記憶されている複数の電子化ファイルを予め定められた分類条件に従って分類して表示手段により表示するにあたり、前記表示手段によって表示された分類状態を示す情報を記録しているので、当該分類状態を示す情報を読み出すことにより、電子化ファイルの分類状態を再現することができる、という効果が得られる。
【発明を実施するための最良の形態】
【００２９】
以下、図面を参照して本発明の実施の形態について詳細に説明する。まず、図１を参照して、本実施の形態に係るファイル分類表示装置１０の構成を説明する。
【００３０】
同図に示すように、このファイル分類表示装置１０には、ファイル分類表示装置１０全体の動作を司るＣＰＵ（中央処理装置）１２と、ＣＰＵ１２による各種プログラムの実行時のワークエリア等として用いられるＲＡＭ（Random Access Memory）１４と、各種制御プログラムや各種パラメータ等が予め記憶されたＲＯＭ（Read Only Memory）１６と、文書ファイル、画像ファイル、プログラム・ファイル、データ・ファイル等の各種電子化ファイルを記憶するために用いられるハードディスク１８と、が備えられている。
【００３１】
また、ファイル分類表示装置１０には、各種情報を入力する際に用いられるキーボード２０及びマウス（ポインティング・デバイス）２２が備えられると共に、各種情報を表示するためのディスプレイ装置２４が備えられている。
【００３２】
ＣＰＵ１２、ＲＡＭ１４、ＲＯＭ１６、ハードディスク１８、キーボード２０、マウス２２、及びディスプレイ装置２４はシステムバスＢＵＳを介して電気的に接続されており、ＣＰＵ１２は、ＲＡＭ１４、ＲＯＭ１６、及びハードディスク１８に対するアクセス、キーボード２０及びマウス２２を介した各種情報の取得、及びディスプレイ装置２４に対する各種情報の表示、を各々行うことができる。
【００３３】
すなわち、本実施の形態に係るファイル分類表示装置１０は市販されているＰＣにより構成されている。
【００３４】
ところで、ファイル分類表示装置１０は、前述した分類フォルダを作成することが可能とされており、当該分類フォルダを開く操作を行うことによって、一例として図８（Ｂ）に示される状態の階層構造を示す表示画面をディスプレイ装置２４によって表示させることができる。また、ファイル分類表示装置１０には、当該表示画面において表示されている電子化ファイルの分類状態を再現することのできる分類状態再現機能が搭載されている。
【００３５】
このため、ファイル分類表示装置１０のハードディスク１８の所定領域には、一例として図２に模式的に示されるように、再現対象とする分類フォルダを表示している時点を示す表示日時情報（本実施の形態では、西暦年月日と時刻を示す情報）と、当該分類フォルダにより設定された各階層別のフォルダを示す階層別フォルダ情報（本実施の形態では、フォルダ名を示す情報）と、当該分類フォルダの末端のフォルダに属された電子化ファイルを示す格納ファイル情報（本実施の形態では、電子化ファイルのファイル名を示す情報）とが、分類フォルダ（本実施の形態では、分類フォルダのフォルダ名）別に表示履歴情報として記憶される。なお、上記表示日時情報が本発明の「時点情報」に相当し、上記階層別フォルダ情報及び格納ファイル情報が本発明の「分類状態を示す情報」に相当する。
【００３６】
次に、図３を参照して、分類フォルダを開く際のファイル分類表示装置１０の作用を説明する。なお、図３は、ユーザによって分類フォルダを開く所定操作が行われた際にファイル分類表示装置１０のＣＰＵ１２によって実行される分類フォルダ操作処理プログラムの処理の流れを示すフローチャートである。
【００３７】
まず、同図のステップ１００では、後述する分類フォルダ表示処理ルーチン・プログラム（図６も参照。）を実行することにより、ユーザによって開く操作が行われた分類フォルダ（以下、「処理対象分類フォルダ」という。）に対応する分類フォルダ表示画面をディスプレイ装置２４によって表示させ、次のステップ１０２にて所定情報の入力待ちを行う。
【００３８】
図４には、上記ステップ１００の処理によってディスプレイ装置２４により表示される分類フォルダ表示画面の表示状態の一例が示されている。
【００３９】
同図に示すように、本実施の形態に係る分類フォルダ表示画面では、処理対象分類フォルダから、当該処理対象分類フォルダに対して予め設定されている分類条件に従った分類によって電子化ファイルが属された末端のフォルダに至るまで、各フォルダが階層構造（同図に示す例では２階層の階層構造）を示す状態に結合された状態で表示されると共に、末端のフォルダに属する電子化ファイルが、属されるフォルダに結合された状態で表示される。
【００４０】
図４に示されるような分類フォルダ表示画面を参照することにより、ユーザは、処理対象分類フォルダによる電子化ファイルの分類結果を容易に把握することができる。
【００４１】
一方、上述したように、本実施の形態に係るファイル分類表示装置１０には分類状態再現機能が搭載されており、このため、本実施の形態に係る分類フォルダ表示画面では、一例として図４に示されるように、当該分類フォルダ表示画面によって表示されている分類状態を表示履歴情報として登録する際にポインティング指定される履歴ボタン２４Ａと、既に登録されている表示履歴情報に基づいて分類フォルダによる分類状態を再現する際にポインティング指定される再現ボタン２４Ｂと、が表示されると共に、本分類フォルダ操作処理プログラムを終了させる際に指定される終了ボタン２４Ｃが表示される。
【００４２】
従って、図４に示されるような分類フォルダ表示画面がディスプレイ装置２４によって表示されると、ユーザは、履歴ボタン２４Ａ、再現ボタン２４Ｂ、及び終了ボタン２４Ｃの何れかのボタンをマウス２２にてポインティング指定する。これに応じて上記ステップ１０２が肯定判定となってステップ１０４に移行する。
【００４３】
ステップ１０４では、ユーザによって指定されたボタンが履歴ボタン２４Ａであったか否かを判定することにより、処理対象分類フォルダによる分類状態を示す情報の登録がユーザによって指示されたか否かを判定し、肯定判定となった場合はステップ１０６に移行して、この時点の日時を示す情報をファイル分類表示装置１０に内蔵された計時用のタイマ（図示省略。）から取得し、次のステップ１０８では、上記ステップ１０６において取得した日時情報を上記表示日時情報として、処理対象分類フォルダによる分類状態を示す情報（上記階層別フォルダ情報及び格納ファイル情報）と共に当該分類フォルダの表示履歴情報としてハードディスク１８に記録し、その後に上記ステップ１００に戻って再び分類フォルダ表示処理ルーチン・プログラムを実行する。
【００４４】
一方、上記ステップ１０４において否定判定となった場合はステップ１１０に移行し、分類フォルダ表示画面上でユーザによって指定されたボタンが再現ボタン２４Ｂであったか否かを判定することにより、既に登録されている表示履歴情報に基づく分類フォルダによる分類状態の再現がユーザによって指示されたか否かを判定し、肯定判定となった場合はステップ１１２に移行する。
【００４５】
ステップ１１２では、処理対象分類フォルダに関する全ての表示日時情報をハードディスク１８から読み出し、次のステップ１１４では、読み出した表示日時情報に基づき、予め定められた表示選択画面をディスプレイ装置２４によって表示させ、次のステップ１１６にて所定情報の入力待ちを行う。
【００４６】
図５には、上記ステップ１１４の処理によってディスプレイ装置２４により表示される表示選択画面の表示状態の一例が示されている。同図に示すように、本実施の形態に係る表示選択画面では、再現する表示時点の指定を促すメッセージが表示されると共に、上記ステップ１１２において読み出した表示日時情報が選択対象として一覧表示される。
【００４７】
このような表示選択画面がディスプレイ装置２４により表示されると、ユーザは、再現したい表示時点を示す表示日時情報の表示領域をマウス２２によってポインティング指定する。これに応じて上記ステップ１１６が肯定判定となってステップ１１８に移行する。なお、図５に示すように、この表示選択画面では選択対象とする表示日時情報に個別の番号が付されているので、再現したい表示時点を示す表示日時情報に付されている番号をキーボード２０によって入力するものとしてもよい。
【００４８】
ステップ１１８では、ユーザによって指定された表示日時情報に対応する階層別フォルダ情報及び格納ファイル情報を用いて分類フォルダを再現表示するように設定し、その後に上記ステップ１００に戻って再び分類フォルダ表示処理ルーチン・プログラムを実行する。なお、本実施の形態では、上記ステップ１１８による再現表示の設定を、再現表示するか否かを示すものとして予め設けられた再現表示フラグを再現表示することを示すオン状態（再現表示フラグはデフォルトとしてオフ状態が設定されている。）にすると共に、処理対象分類フォルダを示す情報（ここでは、フォルダ名情報）及びユーザによって指定された表示日時情報をハードディスク１８の所定領域に記憶することにより行っているが、これに限らず、ユーザによって指定された表示日時情報に対応する分類フォルダが再現できる如何なる形態も適用できる。
【００４９】
一方、上記ステップ１１０において否定判定となった場合は、ユーザによって終了ボタン２４Ｃがポインティング指定されたものと見なして本分類フォルダ操作処理プログラムを終了する。
【００５０】
次に、図７を参照して、本実施の形態に係る分類フォルダ表示処理ルーチン・プログラムについて説明する。
【００５１】
まず、同図のステップ２００では、再現表示フラグがオン状態となっているか否かを判定することにより、ユーザによって分類フォルダの再現表示が指示されているか否かを判定し、否定判定となった場合はステップ２０２に移行する。
【００５２】
ステップ２０２では、処理対象分類フォルダによる分類状態を表示させるための通常の処理を実行し、その後に本分類フォルダ表示処理ルーチン・プログラムを終了する。上記ステップ２０２の処理により、一例として図４に示される分類フォルダ表示画面がディスプレイ装置２４によって表示されることになる。
【００５３】
一方、上記ステップ２００において肯定判定となった場合にはステップ２０４に移行し、分類フォルダ操作処理プログラムのステップ１１８の処理によって記憶された分類フォルダを示す情報（ここでは、フォルダ名情報）及び表示日時情報をハードディスク１８から読み出し、次のステップ２０６にて、読み出した情報に対応する階層別フォルダ情報及び格納ファイル情報をハードディスク１８の表示履歴情報から読み出して、これらの情報によって示される分類状態を示す分類フォルダ表示画面を表示するようにディスプレイ装置２４を制御する。
【００５４】
本ステップ２０６の処理により、一例として図７に示される分類フォルダ表示画面がディスプレイ装置２４によって表示されることになる。なお、同図に示す例では、表示履歴情報が図２に示されるものであると共に、ユーザによって‘２００５年３月７日１７時５５分’が再現する表示時点として指定された場合について示されている。
【００５５】
そして、次のステップ２０８にて、再現表示フラグをオフ状態に復帰させた後、本分類フォルダ表示処理ルーチン・プログラムを終了する。
【００５６】
分類フォルダ操作処理プログラムのステップ１０８の処理が本発明の記録ステップに相当する。
【００５７】
以上詳細に説明したように、本実施の形態では、記憶手段（ここでは、ハードディスク１８）の予め定められた分類対象領域に記憶されている複数の電子化ファイルを予め定められた分類条件に従って分類して表示手段（ここでは、ディスプレイ装置２４）により表示するにあたり、前記表示手段によって表示された分類状態を示す情報を記録しているので、当該分類状態を示す情報を読み出すことにより、電子化ファイルの分類状態を再現することができる。
【００５８】
また、本実施の形態では、記録された情報により示される前記分類状態の再現を指示する指示情報（ここでは、再現ボタン２４Ｂに対するポインティング指定によって入力される情報）が入力された際に、当該指示情報により再現が指示された分類状態を前記表示手段によって再現しているので、簡易な操作によって電子化ファイルの分類状態を再現することができる。
【００５９】
特に、本実施の形態では、前記表示手段によって表示された分類状態を示す情報を、当該表示された時点を示す時点情報（ここでは、表示日時情報）と対応付けて記録しておき、前記指示情報による指示により再現対象とされる分類状態を示す情報に対応付けられて記録された前記時点情報を指定する時点指定情報（ここでは、表示選択画面上で指定された表示日時情報を示す情報）を更に入力し、当該時点指定情報により指定された前記時点情報に対応付けられて記録された前記分類状態を示す情報によって示される分類状態を前記表示手段によって再現しているので、複数の表示時点における分類状態を再現することができ、利便性を向上させることができる。
【００６０】
以上、本発明を実施形態を用いて説明したが、本発明の技術的範囲は上記実施形態に記載の範囲には限定されない。発明の要旨を逸脱しない範囲で上記実施形態に多様な変更または改良を加えることができ、そのような変更または改良を加えた形態も本発明の技術的範囲に含まれる。
【００６１】
また、上記の実施形態は、クレーム（請求項）にかかる発明を限定するものではなく、また実施形態の中で説明されている特徴の組合せの全てが発明の解決手段に必須であるとは限らない。前述した実施形態には種々の段階の発明が含まれており、開示される複数の構成要件における適宜の組合せにより種々の発明を抽出できる。実施形態に示される全構成要件から幾つかの構成要件が削除されても、効果が得られる限りにおいて、この幾つかの構成要件が削除された構成が発明として抽出され得る。
【００６２】
例えば、上記実施の形態では、表示選択画面上で表示時点を指定することによって再現表示したい分類状態を指定する場合について説明したが、本発明はこれに限定されるものではなく、例えば、表示履歴情報を登録する際に、当該表示履歴情報に関する何らかのコメントをユーザに入力させて記録しておき、表示選択画面にて当該コメントを一覧表示させ、当該コメントの何れかを指定することにより再現表示したい分類状態を指定する形態とすることもできる。この場合も、上記実施の形態と同様の効果を奏することができる。
【００６３】
また、上記実施の形態では、階層構造を有する分類フォルダに本発明を適用した場合について説明したが、本発明はこれに限定されるものではなく、例えば、階層構造を有しない、すなわち自身のフォルダの直下に電子化ファイルが属される分類フォルダに本発明を適用する形態とすることもできる。この場合も、上記実施の形態と同様の効果を奏することができる。
【００６４】
その他、上記実施の形態で示したファイル分類表示装置１０のハードウェア構成（図１参照。）は一例であり、必要に応じて構成要素を追加したり、不要な構成要素を削減したりすることができることは言うまでもない。
【００６５】
また、上記実施の形態で示した分類フォルダ操作処理プログラム及び分類フォルダ表示処理ルーチン・プログラムの処理の流れ（図３，図６参照。）も一例であり、本発明の主旨を逸脱しない範囲内において適宜変更することができることも言うまでもない。
【００６６】
また、上記実施の形態で示した表示履歴情報の構成（図２参照。）も一例であり、必要に応じて新たな情報を追加したり、不要な情報を削減したりすることができることは言うまでもない。また、ここで適用したフォルダ名やファイル名に代えて、当該フォルダやファイルを特定できるＩＤ情報等を適用する形態とすることもできる。
【００６７】
更に、上記実施の形態で示した各種画面の表示状態（図４，図５，図７参照。）も一例であり、本発明の主旨を逸脱しない範囲内において適宜変更することができることも言うまでもない。
【図面の簡単な説明】
【００６８】
【図１】実施の形態に係るファイル分類表示装置の構成を示すブロック図である。
【図２】実施の形態に係る表示履歴情報のデータ構造を示す模式図である。
【図３】実施の形態に係る分類フォルダ操作処理プログラムの処理の流れを示すフローチャートである。
【図４】実施の形態に係る分類フォルダ表示画面の表示状態例を示す概略図である。
【図５】実施の形態に係る表示選択画面の表示状態例を示す概略図である。
【図６】実施の形態に係る分類フォルダ表示処理ルーチン・プログラムの処理の流れを示すフローチャートである。
【図７】実施の形態に係る分類フォルダ表示画面が再現表示された表示状態例を示す概略図である。
【図８】分類フォルダの説明に供する模式図である。
【符号の説明】
【００６９】
１０    ファイル分類表示装置
１２    ＣＰＵ（記録手段、再現手段）
１８    ハードディスク（記憶手段）
２０    キーボード
２２    マウス（指示入力手段）
２４    ディスプレイ装置（表示手段）
【図１】
2006252045.tif 000004
【図２】
2006252045.tif 000005
【図３】
2006252045.tif 000006
【図４】
2006252045.tif 000007
【図５】
2006252045.tif 000008
【図６】
2006252045.tif 000009
【図７】
2006252045.tif 000010
【図８】
2006252045.tif 000011